(57)【要約】  【課題】災害やトラブルによる停電時にプロジェクタの光源を確保し、緊急案内を行う。  【解決手段】投写画像処理部１６０と、投写画像処理部１６０を動作させる電源であって外部電力１０５を用いる主電源１１５、及び蓄電された補助電源１２０と、前記主電源と補助電源１２０とを切替える切替部１３０と、外部電力１０５の電圧を監視する電圧監視部１１０と、電圧監視部１１０の監視結果に基づいて外部電力１０５電圧が所定値以下であるか否かを判定するとともに、電圧が所定値以下であると判定されたときに、切替部１３０に対して、電源を主電源１１５から補助電源１２０に切替えさせる制御を行う電源切替制御部１５５と、緊急案内画像データを記憶した記憶部１４０と、電源が主電源１１５から補助電源１２０に切替わったときに、緊急案内画像データを読み出し、投写画像処理部１６０に緊急案内画像を投写させる制御を行う緊急案内画像投写制御部１５６を備える。    【選択図】図１
2010122261.tif 000002
【特許請求の範囲】
【請求項１】
投写画像処理部と、
投写画像処理部を動作させる電源であって外部電力を用いる主電源、及び補助電源と、
前記主電源と補助電源とを切替える切替部と、
外部電力の電圧を監視する電圧監視部と、
前記電圧監視部の監視結果に基づいて外部電力の電圧が所定値以下であるか否かを判定
するとともに、該電圧が所定値以下であると判定されたときに、前記切替部に対して、電
源を主電源から補助電源に切替えさせる制御を行う電源切替制御部と、
緊急案内画像データを記憶した記憶部と、
電源が主電源から補助電源に切替わったときに、緊急案内画像データを読み出し、投写
画像処理部に緊急案内画像を投写させる制御を行う緊急案内画像投写制御部を備えている
ことを特徴とする画像投写装置。
【請求項２】
前記電源切替制御部は、さらに、外部電力の電圧が所定値以下であると判定されたとき
から一定時間経過後に、前記切替部に対して、電源を主電源から補助電源に切替えさせる
制御を行うものであることを特徴とする請求項１に記載の画像投写装置。
【請求項３】
外部電力の電圧が所定値以下であると判定されたときに、電源を主電源から補助電源に
切替えるとともに、緊急案内画像を投写する制御を行う画像投写装置に適用され、
外部電力電圧を監視するステップと、
外部電力の電圧が所定値以下であるか否かを判定するステップと、
電圧が所定値以下であると判定されたときに、電源を主電源から補助電源に切替えさせ
るステップと、
電源が主電源から補助電源に切替わったときに、緊急案内画像データを読み出して、該
緊急案内画像データに基づく緊急案内画像を投写させるステップと、
を備えていることを特徴とする電源切替え方法。
【発明の詳細な説明】
【技術分野】
【０００１】
本発明は、画像投写装置、及びこの緊急案内画像投写方法に関する。
【背景技術】
【０００２】
画像・映像を投写表示するための装置としてプロジェクタがある。プロジェクタは、例
えば、会議、学会、授業、プレゼンテーションなどの利用目的で、人の多く集まる室内で
使用されることが多い。
このように室内で人が多く集まっている場合に、その建物のどこかで火災などの緊急事
態が発生した場合は、建物の管理者は避難誘導を行う。
【０００３】
ところで、このような避難誘導に関し、従来においては、下記の特許文献１に記載のも
のが挙げられる。この技術は火災の発生場所の情報とプロジェクタの設置場所の情報に基
づき最適な避難経路を選択し、火災の発生場所と選択した避難経路をプロジェクタにより
投写表示することで避難案内を行うようになっていた。
【０００４】
【特許文献１】特許４０１０２７３号公報
【０００５】
しかしながら、災害によって停電が発生すると、プロジェクタがブラックアウトし、避
難経路の選択と適切な避難誘導ができない問題があった。
【発明の開示】
【発明が解決しようとする課題】
【０００６】
本発明は、上記したような問題点に鑑みてなされたもので、災害やトラブルによる停電
時にプロジェクタの光源を確保して、緊急案内を行うことを目的とする。
【課題を解決するための手段】
【０００７】
以上の目的を達成するために、本発明に係る画像投写装置は、投写画像処理部と、投写
画像処理部を動作させる電源であって外部電力を用いる主電源、及び補助電源と、前記主
電源と補助電源とを切替える切替部と、外部電力の電圧を監視する電圧監視部と、前記電
圧監視部の監視結果に基づいて外部電力の電圧が所定値以下であるか否かを判定するとと
もに、該電圧が所定値以下であると判定されたときに、前記切替部に対して、電源を主電
源から補助電源に切替えさせる制御を行う電源切替制御部と、緊急案内画像データを記憶
した記憶部と、電源が主電源から補助電源に切替わったときに、緊急案内画像データを読
み出し、投写画像処理部に緊急案内画像を投写させる制御を行う緊急案内画像投写制御部
を備えていることを特徴とする。
【０００８】
本発明の画像投写装置によると、災害やトラブルによる停電時に、主電源から補助電源
に切替えることにより、プロジェクタの光源を確保するとともに、緊急案内画像を投写す
る。したがって、停電によるプロジェクタのブラックアウトを防止し、緊急案内画像の投
写を確実に行うことができる。
【０００９】
本発明の補助電源は、例えば、プロジェクタを動作させる外部電力、又は他の電源から
の電力により充電可能な充電式の各種電池、各種乾電池等である。
【００１０】
また、前記電源切替制御部は、さらに、外部電力の電圧が所定値以下であると判定され
たときから一定時間経過後に、前記切替部に対して、電源を主電源から補助電源に切替え
させる制御を行うものであることを特徴とする。
【００１１】
本発明の画像投写装置によると、一定時間経過後に主電源から補助電源に切替えるよう
にしているので、例えば、落雷や短絡事故などによる前記一定時間内で復帰するような停
電であれば、停電の復帰後には、主電源によりプロジェクタが動作する。すなわち、一定
時間内で復帰する停電であれば、補助電源に切替えられないので、緊急案内画像が投写さ
れず、停電復帰後において停電前に投写していた画像を継続して投写することができる。
【００１２】
ここで一定時間とは、災害等による停電と誤解されない程度の短時間(例えば、２秒〜
５秒程度)が好ましい。
【００１３】
本発明は、前記画像投写装置に適用される緊急案内画像投写方法を包含する。すなわち
、外部電力の電圧が所定値以下であると判定されたときに、電源を主電源から補助電源に
切替えるとともに、緊急案内画像を投写する制御を行う画像投写装置に適用され、外部電
力電圧を監視するステップと、外部電力の電圧が所定値以下であるか否かを判定するステ
ップと、電圧が所定値以下であると判定されたときに、電源を主電源から補助電源に切替
えさせるステップと、電源が主電源から補助電源に切替わったときに、緊急案内画像デー
タを読み出して、該緊急案内画像データに基づく緊急案内画像を投写させるステップと、
を備えていることを特徴とする。
【００１４】
本発明の緊急案内画像投写方法によると、停電時においてプロジェクタを動作させる電
源を主電源から補助電源に切替えるとともに、緊急案内画像を投写する画像投写装置に適
用することができる。
【発明を実施するための最良の形態】
【００１５】
以下、本発明の実施形態を図１〜図３に基づいて説明する。尚、本実施形態では、画像
投写装置をプロジェクタとして説明する。
【００１６】
図１は、プロジェクタ１００の概略構成を示すブロック図である。プロジェクタ１００
は、電圧監視部１１０、主電源１１５、補助電源１２０、切替部１３０、投写画像処理部
１６０、ランプ駆動部１７０、画像生成部１６５、投写光学系１７５、電源切替制御部１
５５、緊急案内画像投写制御部１５６、タイマー１３５、記憶部１４０、操作部１５０、
入力部１４５と、スイッチ部Ｓと、ＣＰＵ(図示せず)と、を備えている。このプロジェク
タ１００は、スイッチ部ＳをＯＮ操作することにより、プロジェクタ１００の主電源とな
る外部電源１０５から電力が供給されて画像投写が行われる。
【００１７】
電圧監視部１１０は、スイッチ部Ｓの入力側で外部電力１０５と接続され、外部電力１
０５の電圧を監視するとともに、監視結果を電源切替制御部１５５へ送信するものである
。また、外部電力１０５から供給される電力は、主電源１１５を経由して切替部１３０へ
供給されている。
【００１８】
主電源１１５は、ＡＣ−ＤＣコンバータ(図示せず)を備えており、外部電力１０５の電
力がスイッチ部ＳのＯＮ操作により供給され、プロジェクタ１の画像投写を行うための電
源である。
【００１９】
補助電源１２０は、外部電力１０５接続され、正常時には外部電力１０５の電力により
充電されており、電圧が所定値以下(停電)となった場合には、補助電源１２０の電力が切
替部１３０を介して供給される。
【００２０】
切替部１３０は、電源切替制御部１５５からの制御信号によって、プロジェクタ１００
の画像投写に必要な電力の電源を主電源１１５から補助電源１２０に切替える動作をする
ものである。
【００２１】
タイマー１３５は、電源切替制御部１５５に接続され、停電開始と同時に、該電源切替
制御部１５５からの制御信号により計時を開始し、この計時信号を電源切替制御部１５５
に送信するように制御されている。
【００２２】
記憶部１４０は、前記ＣＰＵが実行する各種プログラムや、各種アプリケーションプロ
グラム、及び緊急案内画像データや各種データ等を記憶したＲＯＭ、各種情報及び演算結
果等を一時的に記憶するＲＡＭ等を備えており、電源切替制御部１５５、及び緊急案内画
像投写制御部１５６の要求に基づいて各種プログラムや各種データの出し入れが行われる
。
【００２３】
入力部１４５は、例えば、停電時に主電源１１５からから補助電源１２０に切替わった
後、停電が解除されたときに、操作部１５０を介して電源切替制御部１５５の制御をリセ
ットする操作を行う。また、電源切替制御部１５５に対して、操作部１５０を介して停電
時に主電源１１５から補助電源１２０に切替わる条件を入力することができる。すなわち
、制御リセットにより、プロジェクタ１００を動作させる電源を主電源１１５に戻すこと
ができる。また、停電時に主電源１１５から補助電源１２０に切替わる条件を設定・変更
することができる。
【００２４】
電源切替制御部１５５は、ＣＰＵが実行する電源切替プログラムにより、停電時にプロ
ジェクタ１００の画像投写に必要な電力の電源を、主電源１１５から補助電源１２０に切
替える制御を行うものである。すなわち、電圧監視部１１０が、外部電力１０５の電圧が
所定値以下になったことを検知し、タイマー１３５が、電圧の所定値以下の状態が一定時
間経過したことを計測したとき、切替部１３０に対して電源切替信号を送信する。受信し
た電源切替信号に基づいて切替部１３０は、電源を主電源１１５から補助電源１２０に切
替える。
【００２５】
ここでいう所定の電圧値とは、プロジェクタ１００を正常に動作させることができる電
圧値未満の電圧値であればよく、必ずしも、０電圧(完全な停電)である必要はない。すな
わち、電気設備に何らかの異常が発生して、外部電力１０５の電圧が降下している状態で
電源を主電源１１５から補助電源１２０に切替えるようにしてもよいし、完全に停電した
状態で電源を主電源１１５から補助電源１２０に切替えるようにしてもよい。
【００２６】
緊急案内画像投写制御部１５６は、ＣＰＵが実行する緊急案内画像投写プログラムによ
り、停電時に主電源１１５から補助電源１２０に切替えられたときに、緊急案内画像を投
写する制御を行うものである。すなわち、前記電源切替制御部１５５から送信される電源
を主電源１１５から補助電源１２０に切替える切替信号を受信したときに、前記記憶部１
４０から緊急案内画像投写データを読み出し、該緊急案内画像投写データを前記投写画像
処理部１６０に送信する。さらに、前記切替信号を受信したときに、投写画像処理部１６
０に対して、停電前に投写していた画像の投写を停止させる画像投写停止信号を送信する
。
【００２７】
投写画像処理部１６０は、記憶媒体やネットワーク(いずれも図示せず)等からの画像信
号、及び緊急案内画像信号、並びに画像投写停止信号を受信するとともに、受信した画像
信号、及び緊急案内画像信号に基づく画像が表示される光変調素子(例えば、液晶パネル)
としての画像生成部１６５を駆動、停止させるように制御されている。画像生成部１６５
に表示された画像は、ランプ駆動部１７０から照射される光によって投写光学系１７５を
介してスクリーン(図示せず)に投写される。
【００２８】
したがって、本実施形態のプロジェクタ１００は、停電の発生時においても、プロジェ
クタ１００自身が有する補助電源１２０によって光源を確保して、緊急時の緊急案内を投
写することができる。さらに、プロジェクタ１００が投写する光は、避難する際の照明と
しても利用することができる。
【００２９】
尚、図１において、仮想線で囲まれている各部には、スイッチ部ＳのＯＮ操作により、
正常時には、主電源１１５から電力が供給され、停電時においても、電源切替制御部１５
５の制御にかかわらず補助電源１２０から電力が供給される。
【００３０】
図２は、本実施形態の緊急案内画像の一例を示す図である。この緊急案内画像は、避難
口を案内する避難案内画像であり、室内ＡのスクリーンＡ１の位置と、避難口Ａ２の位置
を示すとともに、避難口Ａ２を矢印Ａ３で示している。すなわち、避難口Ａ２の位置がス
クリーンＡ１に向かって前後・左右のどの位置にあるかが一目で判断でき、効率的な避難
誘導を行うようにしたものである。尚、この緊急案内画像は、例示したものに限られず、
効率的に批難誘導可能な画像、避難を喚起するメッセージ、避難時の注意メッセージ等の
緊急案内を行える画像であればよい。
【００３１】
図３は、本実施形態のプロジェクタ１００が、停電時にプロジェクタ１００の画像投写
に必要な電力の電源を、主電源１１５から補助電源１２０に切替える方法、及び緊急案内
画像を投写する方法を含むプログラムのフローチャートである。このプログラムは、プロ
ジェクタ１００を起動する(スイッチ部ＳをＯＮ操作する)ことにより起動するプログラム
である(ステップＳ１)。プロジェクタ１００が起動した状態における電源は主電源１１５
であり、該主電源の電力によりプロジェクタ１００の画像投写が行われる。
【００３２】
プロジェクタ１００が起動すると、電圧監視部１１０による外部電力１０５の電圧監視
が開始する(ステップＳ２)。この監視結果は、リアルタイムで電源切替制御部１５５に送
信される(ステップＳ３)。
【００３３】
電圧監視中に電圧が降下し、停電であると認められる所定の電圧値を電源切替制御部１
５５が判定する(ステップＳ４)と、タイマー１３５に対して計時動作を開始させる(ステ
ップＳ５)。タイマー１３５の計時は、リアルタイムで電源切替制御部１５５に送信され
る(ステップＳ６)。
【００３４】
計時中に一定時間を経過したことを電源切替制御部１５５が判定する(ステップＳ７)と
、該判定結果に基づいて切替部１３０に対して切替信号を送信する(ステップＳ８)。切替
部１３０は、受信した切替信号に基づいて電源を主電源１１５から補助電源１２０に切替
える(ステップＳ９)。
【００３５】
この切替信号は、緊急案内画像投写制御部１５６にも送信され、この切替信号に基づい
て、緊急案内画像データを読み出す(ステップＳ１０)。また、投写画像処理部１６０に対
して画像投写停止信号を送信して(ステップＳ１１)、投写されていた画像の投写を停止さ
せる(ステップＳ１２)。また、読み出した緊急案内画像データを投写画像処理部１６０に
送信し(ステップＳ１３)、該緊急案内画像データに基づいて補助電源１２０による緊急案
内画像投写を行わせる(ステップＳ１４)。
【００３６】
尚、補助電源１２０によるプロジェクタ１００の画像投写では、停電前に投写されてい
た画像を投写した状態で、緊急案内画像を投写するようにしてもよい。
【００３７】
本実施形態のプログラムによれば、プロジェクタ１００が停電時に、プロジェクタ１０
０を動作させる電源を一定時間経過後に主電源１１５から補助電源１２０に切替える制御
、及び緊急案内画像を投写させる制御を実行することができる。
【００３８】
以上、本発明の実施形態を図面に基づいて説明したが、本発明は図示例や上述した各例
に限定されるものではなく、特許請求範囲に記載された技術的思想の範疇において、種々
の変更が可能である。例えば、停電であると認められる所定の電圧値の判定後に時間にか
かわりなく、電源を主電源から補助電源に切替えるように制御するようにしてもよい。
【図面の簡単な説明】
【００３９】
【図１】停電時案内方法を実現するプロジェクタ本体の概略構成を示すブロック図。
【図２】緊急案内画像の一例を示す。
【図３】画像投写装置が実行するプログラムのフローチャート。
【符号の説明】
【００４０】
１００:プロジェクタ(画像投写装置)  １０５：外部電力  １１０：電圧監視部
１１５：主電源  １２０：補助電源  １３０：切替部  １３５：タイマー
１５５：電源切替制御部  １５６：緊急案内画像投写制御部  １６０：投写画像処理部
【図１】
2010122261.tif 000003
【図２】
2010122261.tif 000004
【図３】
2010122261.tif 000005